(57)【要約】【課題】少ない操作キーの数で多数の操作機能を択一的に選択することができ、実行する機能を表示することが可能な表示器を有する装置を提供することにある。【解決手段】通常動作モード時の各種機能情報をそれぞれ割り付けた複数の操作キーを設けると共に、この複数の操作キー毎に特殊動作モードを設ける。更に、この特殊動作モードに対応する各種情報を各操作キーにそれぞれ併せて割り付ける。このような構成に於いて、通常動作モード時とは異なる操作キーの押圧操作形態で操作キーが押された時、その押された操作キーに対応する特殊動作モードへ移行し、各操作キーに割り付けられた特殊動作モード時の各種機器情報を呼び出すと共に、特殊動作モード時の各操作キーを表す画像を表示するように構成する。【選択図】図１
2007233552.tif 000002
【特許請求の範囲】
【請求項１】
通常動作モードの各種機能情報をそれぞれ割り付けた複数の操作キーと、
この複数の操作キーの中の一部または全部の操作キー毎に前記通常動作モードに付加される機能を設定する特殊動作モードが設けられ、この特殊動作モードに対応する各種機能情報を各操作キーにそれぞれ併せて割り付けた操作手段と、
通常動作モード時の各種機能情報を呼び出すための操作キーの押圧操作形態とは異なる押圧操作形態で操作キーが押された時、その押された操作キーに対応する特殊動作モードへ移行するモード切替手段と、
前記操作手段の操作キーが押された時に、その押された操作キーに対応する通常動作モード時の各種機能情報または特殊動作モード時の各種機能情報を呼び出す制御手段と、
前記異なる押圧操作形態で押された操作キーに対応する特殊動作モード時の各操作キーを表す画像を表示する表示手段と
を備えたことを特徴とする表示器を有する装置。
【請求項２】
前記押圧操作形態は、操作キーを押圧する操作継続時間であり、前記異なる押圧操作形態は、通常動作モード時の各種機能情報を呼び出すための押圧操作時間よりも長い時間であることを特徴とする請求項１記載の表示器を有する装置。
【請求項３】
前記異なる押圧操作形態で押された操作キーに対応する特殊動作モード時の各種機能情報が存在するか否かを判断処理するモード情報確認手段を備えたことを特徴とする請求項１記載の表示器を有する装置。
【請求項４】
前記モード情報確認手段は、異なる押圧操作形態で押された操作キーに対応する特殊動作モード時の各種機能情報が存在しないと判断した時、押された操作キーに割り付けられている通常動作モードへ移行するように構成したことを特徴とする請求項１記載の表示器を有する装置。
【請求項５】
前記モード情報確認手段は、異なる押圧操作形態で押された操作キーに対応する特殊動作モード時の各種機能情報が存在しないと判断した時、特殊動作モード時の各種機能情報が存在しないことを告知するように構成したことを特徴とする請求項１記載の表示器を有する装置。
【請求項６】
前記表示手段は、前記モード情報確認手段が異なる押圧操作形態で押された操作キーに対応する特殊動作モード時の各種機能情報が存在すると判断した時から所定の時間が経過すると、前記異なる押圧操作形態で押された操作キーに対応する特殊動作モード時の各操作キーを表す画像の表示を消灯するように構成したことを特徴とする請求項１記載の表示器を有する装置。
【請求項７】
時間設定記憶部を設け、前記時間設定記憶部に第１の所定の時間を設定し、前記第１の所定の時間に基づき、前記特殊動作モード時の各操作キーを表す画像の表示を消灯する時間を制御することを特徴とする請求項１または請求項６記載の表示器を有する装置。
【請求項８】
前記制御手段は、前記モード情報確認手段が異なる押圧操作形態で押された操作キーに対応する特殊動作モード時の各種機能情報が存在すると判断した時から所定の時間が経過すると、特殊動作モード時の各種機能情報を呼び出す操作キー操作の受付を禁止するように構成したことを特徴とする請求項１記載の表示器を有する装置。
【請求項９】
前記時間設定記憶部に第２の所定の時間を設定し、前記第２の所定の時間に基づき、前記特殊動作モードに対応する各種機能情報を呼び出す操作キーの操作受付を禁止する制御をすることを特徴とする請求項１または請求項８記載の表示器を有する装置。
【請求項１０】
通常動作モード時の各種機能情報および前記通常動作モードに付加される機能を設定する特殊動作モード時の各種機能情報が設けられ、選択操作に応じて複数の操作キーの何れかを押下げ操作をすることにより択一的に前記通常動作モード時の各種機能情報あるいは前記特殊動作モード時の各種機能情報を選択可能とする前記複数操作キーからなる操作手段と、
前記操作手段に設定された前記通常動作モード時の各種機能情報に対応する各操作キーを表す画像の表示および前記通常動作モード時に押下された操作キーの画像を強調表示する表示手段と、
第１の所定の時間および第２の所定の時間を記憶する時間設定記憶部とを備え、
前記操作手段の操作キーが押下げ操作された時からの押下持続時間を前記時間設定記憶部に記憶された前記第１の所定の時間と比較して第１の判定をすると共に、前記押下げ操作された操作キーの前記特殊動作モード時の各種機能情報が存在するか否かを判断処理するモード情報確認手段の確認結果と、前記第１の判定結果とに基づいて前記操作手段に設定された前記通常動作モード時の各種機能情報を保持または前記特殊動作モード時の各種機能情報に変更するかを決定し、
前記保持する決定がなされた時には、前記操作手段の通常動作モード時の各種機能情報および前記押下げ操作された操作キーの通常動作モード時の機能情報が維持され、
また、前記特殊動作モード時の各種機能情報に変更する決定がなされた時には、前記操作手段に特殊動作モード時の各種機能情報を設定すると共に、前記操作手段に設定された前記特殊動作モード時の各種機能情報に対応する各操作キーを表す画像の表示を前記第２の所定の時間に基づいて前記表示手段に持続して表示し、
当該表示持続期間中に、選択操作に応じて前記特殊動作モード時に押下げ操作された操作キーの画像を前記表示手段に強調表示すると共に、特殊動作モード時の各種機能情報を択一的に選択することを可能とすることを特徴とする表示器を有する装置。
【発明の詳細な説明】
【技術分野】
【０００１】
本発明は、通信装置あるいは車載用音響装置等に用いる表示器を有する装置に係り、特に、複数の機能が実装され、操作キーの操作をすることにより実行する機能を表示し、選択することが可能な装置に関する。
【背景技術】
【０００２】
従来の表示器を有する装置に於いては、例えば、広いパネル面積を使って、モード設定ボタンと、このモード設定ボタンの横に、モード設定ボタンで択一選択したモードに割り当てられた各機能毎に関係付けし配置された操作ボタンと、大型の表示画面を有する表示器とを備え、使い勝手を向上させるように構成した装置が提案されていた（例えば、特許文献１参照）。
【０００３】
【特許文献１】特開平８−６４０６８号公報
【発明の開示】
【発明が解決しようとする課題】
【０００４】
以上に述べた従来の表示器を有する装置では、多くの操作ボタンと容易に視認できるような大きな表示面積を有する表示器を必要とし、かつ、モード選択ボタンで択一選択したモードに移行して初めて各機能毎に関係付けした操作ボタンの動作や表示が決まるため、操作ボタンと表示器を各機能毎に関連付けた配列としなければモード移行後の動作が判りづらく、従って、操作パネルの許容面積が限られた装置に於いては、多数の操作ボタンや大型の表示画面を有する表示器の配列が難しく、もしくは困難であり、表示器の面積も制約されるため小型で安価な装置を提供することが困難であるという問題があった。
【０００５】
本発明は、このような従来の構成が有していた問題を解決しようとするものであり、操作パネルの許容面積が限られ、多機能かつ多数の操作機能が実装された表示器を有する装置に於いて、少ない操作キーの数で多数の操作機能を択一的に選択することができ、実行する機能を表示することが可能な表示器を有する装置を提供することを目的としている。
【課題を解決するための手段】
【０００６】
そして、本発明に係る表示器を有する装置は、上記の目的を達成するために、通常使用される機能を設定する通常動作モードの各種機能情報をそれぞれ割り付けた複数の操作キーと、この複数の操作キーの中の一部または全部の操作キー毎に通常動作モードに付加される機能を設定する特殊動作モードが設けられ、この特殊動作モードに対応する各種機能情報を各操作キーにそれぞれ併せて割り付けた操作手段と、通常動作モード時の各種機能情報を呼び出すための操作キーの押圧操作形態とは異なる押圧操作形態で操作キーが押された時、その押された操作キーに対応する特殊動作モードへ移行するモード切替手段と、操作手段の操作キーが押された時に、その押された操作キーに対応する通常動作モード時の各種機能情報または特殊動作モード時の各種機能情報を呼び出す制御手段と、異なる押圧操作形態で押された操作キーに対応する特殊動作モード時の各操作キーを表す画像を表示する表示手段とを備えたものである。なお、ここでいう通常動作モードとは、異なる押圧操作形態で操作キーが押されていない状態をいう。また、ここでいう特殊動作モードとは、異なる押圧操作形態で操作キーが押されてから解除されるまでの状態をいう。
【０００７】
更に、この発明は、上記表示器を有する装置に於いて、以下の態様の発明をも提供するものである。
【０００８】
すなわち、上記押圧操作形態は、操作キーを押圧する操作継続時間であり、上記異なる押圧操作形態は、通常動作モード時の各種機能情報を呼び出すための押圧操作時間よりも長い時間であることを特徴としたものである。
【０００９】
更に、上記の異なる押圧操作形態で押された操作キーに対応する特殊動作モード時の各種機能情報が存在するか否かを判断処理するモード情報確認手段を備えたものである。
【００１０】
また、上記モード情報確認手段は、異なる押圧操作形態で押された操作キーに対応する特殊動作モード時の各種機能情報が存在しないと判断した時、押された操作キーに割り付けられている通常動作モードへ移行するように構成したものである。
【００１１】
更に、上記モード情報確認手段は、異なる押圧操作形態で押された操作キーに対応する特殊動作モード時の各種機能情報が存在しないと判断した時、特殊動作モード時の各種機能情報が存在しないことを告知するように構成したものである。
【００１２】
また、上記表示手段は、モード情報確認手段が異なる押圧操作形態で押された操作キーに対応する特殊動作モード時の各種機能情報が存在すると判断した時から所定の時間が経過すると、異なる押圧操作形態で押された操作キーに対応する特殊動作モード時の各操作キーを表す画像の表示を消灯するように構成したものである。
【００１３】
また、時間設定記憶部を設け、上記時間設定記憶部に第１の所定の時間を設定し、この第１の所定の時間に基づき、特殊動作モード時の各操作キーを表す画像の表示を消灯する時間を制御するように構成したものである。
【００１４】
また、上記制御手段は、モード情報確認手段が異なる押圧操作形態で押された操作キーに対応する特殊動作モード時の各種機能情報が存在すると判断した時から所定の時間が経過すると、特殊動作モード時の各種機能情報を呼び出す操作キー操作の受付を禁止するように構成したものである。
【００１５】
また、上記時間設定記憶部に第２の所定の時間を設定し、上記第２の所定の時間に基づき、特殊動作モードに対応する各種機能情報を呼び出す操作キーの操作受付を禁止する制御をするように構成したものである。
【００１６】
更には、通常動作モード時の各種機能情報および特殊動作モード時の各種機能情報が設けられ、選択操作に応じて複数の操作キーの何れかを押下げ操作をすることにより択一的に通常動作モード時の各種機能情報、あるいは特殊動作モード時の各種機能情報を選択可能とする複数操作キーからなる操作手段と、この操作手段に設定された通常動作モード時の各種機能情報に対応する各操作キーを表す画像の表示および通常動作モード時に押下げ操作された操作キーの画像を強調表示する表示手段と、第１の所定の時間および第２の所定の時間を記憶する時間設定記憶部とを備え、
操作手段の操作キーが押下げ操作された時からの押下持続時間を時間設定記憶部に記憶された第１の所定の時間と比較して第１の判定をすると共に、押下げ操作された操作キーの特殊動作モード時の各種機能情報が存在するか否かを判断処理するモード情報確認手段の確認結果と、第１の判定結果とに基づいて操作手段に設定された通常動作モード時の各種機能情報を保持または特殊動作モード時の各種機能情報に変更するかを決定し、
上記の保持する決定がなされた時には、操作手段の通常動作モード時の各種機能情報および押下げ操作された操作キーの通常動作モード時の機能情報が維持され、
また、上記の特殊動作モード時の各種機能情報に変更する決定がなされた時には、操作手段に特殊動作モード時の各種機能情報を設定すると共に、操作手段に設定された特殊動作モード時の各種機能情報に対応する各操作キーを表す画像の表示を前記第２の所定の時間に基づいて表示手段に持続して表示し、
この表示持続期間中に、選択操作に応じて特殊動作モード時に押下された操作キーの画像を表示手段に強調表示すると共に、特殊動作モード時の各種機能情報を択一的に選択することを可能とするように構成したものである。
【発明の効果】
【００１７】
本発明の表示器を有する装置によれば、操作パネルの許容面積が限られ、多機能かつ多数の操作機能が実装された表示器を有する装置に於いて、少ない操作キーの数で多数の操作機能を択一的に選択することができ、実行する機能を表示することが可能な装置を提供することができる。
【発明を実施するための最良の形態】
【００１８】
本発明に係る表示器を有する装置を無線機に実施した場合の実施形態について、以下に説明する。
【００１９】
図１は、本発明に係る表示器を有する装置を無線機に実施した場合の操作キー入力処理に関する遷移図である。図２は、無線機の操作パネルの概要を示した外観図である。図３は、無線機に実施した本発明に係る表示器を有する装置の機能構成図を示したものである。図４の（ａ）は、本発明に係る表示器を有する装置を無線機に実施した場合の操作キーに割り付けられる通常動作モードに対応する各種機能情報と，特殊動作モードに対応する各種機能情報との関係を示す図である。
図４の（ｂ）は、通常動作モード時の各操作キーと各操作キーに対応して記憶された時間情報との関係を示す図である。
【００２０】
上記のような図面に基づいて、無線機の実施形態の詳細を説明する。
【００２１】
まず、図２に示す無線機の操作パネル１には、パワースイッチ２、マイクロホンコネクタ３、ボリュームコントロールノブ４、チャンネルセレクタノブ５、アップダウンキー６、スピーカ７、表示器８、および、操作キー９ａ、９ｂ、９ｃ、９ｄ、９ｅによって構成されている。
【００２２】
このように構成した操作パネル１を有する無線機に実施した本発明の表示器を有する装置は、図３に示すように、制御部１０、インターフェース２３を介して接続された表示器８、インターフェース２４を介して接続された操作手段２２、スピーカ２５から構成されている。
【００２３】
上記制御部１０は、記憶部１１、所定の時間が経過すると各操作キーを表す画像の表示を消灯する手段１６、時間設定記憶部１７、モード情報確認手段１８、モード切替手段１９、通常動作モード時の各種機能情報または特殊動作モード時の各種機能情報を呼び出す手段２０、所定の時間が経過すると操作キーの操作の受付を禁止する手段２１、第１の判定手段２６から構成されている。この制御部１０に於ける各種制御には、マイクロプロセッサや、マイクロプロセッサが使用する記憶部１１および時間設定記憶部１７を形成する記憶デバイスなどが用いられる。
【００２４】
また、上記記憶部１１には、通常使用される機能を設定する通常動作モードの各種機能情報１２と、通常動作モードに付加される機能を設定する特殊動作モードに対応する各種機能情報１３と、通常動作モード時の各操作キーを表す画像情報１４および特殊動作モード時の各操作キーを表す画像情報１５等を記憶するように構成されている。また、上記操作手段２２は、操作キー９ａ、９ｂ、９ｃ、９ｄ、９ｅを備えている。この操作キー９ａ、９ｂ、９ｃ、９ｄ、９ｅには、例えば、タクトスイッチが用いられる。
【００２５】
また、上記表示器８は、画像や文字表示が可能な表示デバイス、例えば、液晶表示器が用いられる。
【００２６】
図４の（ａ）の表は、各操作キー９ａから９ｅに対して、第２段目に示す、通常動作モード時の各種機能情報と特殊動作モード時の機能情報の有無を表す情報と特殊動作モード時の各操作キーの機能情報が割りつけられることを示している。第１段目に示す特殊動作モード時の各種機能情報は、特殊動作モード時の機能情報の有無を表す情報と特殊動作モード時の各操作キーの機能情報とからなる。表の中で斜線を施した部分は、割り付け機能情報が無いことを示している。
【００２７】
なお、表中に記載された各種機能情報は、各操作キー９ａから９ｅに対して、通常動作モード時の各種機能情報と特殊動作モード時の各種機能情報が上述のような割り付けの関係にあれば、本実施形態に限定されるものではない。
【００２８】
また、図４の（ｂ）の表は、通常動作モード時の各操作キーに対応して、第２段目に記載された第１の所定の時間と、第３段目に記載された第２の所定の時間を時間設定記憶部１７に設定することを示したものである。すなわち、操作キー９ａに対応して、第１の所定の時間ｔ１と第２の所定の時間Ｔ１が時間設定記憶部１７に記憶設定される。
【００２９】
同様に、操作キー９ｂに対応して、第１の所定の時間ｔ２と第２の所定の時間Ｔ２が、操作キー９ｃに対応して、第１の所定の時間ｔ３と第２の所定の時間Ｔ３が、操作キー９ｄに対応して、第１の所定の時間ｔ４と第２の所定時間Ｔ４が、更に、操作キー９ｅに対応して、第１の所定の時間ｔ５と第２の所定の時間Ｔ５がそれぞれ記憶設定される。
【００３０】
以下に、図１、図２、図３、および図４に基づいて、動作を説明する。
まず、無線機のパワースイッチ２がオンされると、制御部１０は、記憶部１１に設けられた通常動作モード時の各種機能情報１２を手段２０によって呼び出し、操作キー９ａ、９ｂ、９ｃ、９ｄ、９eそれぞれに対して、図４の（ａ）に示すように、操作キー９ａに対しては「キーロック」、９ｂに対しては「スタックモード」、９ｃに対しては「再生」、９ｄに対しては「音声メモ」、９ｅに対しては「話者グループ識別」をそれぞれ割り付ける。
【００３１】
更に、その割り付けられた各操作キーを表す画像を、記憶部１１に設けられた通常動作時の各操作キーを表す画像情報１４から呼び出し、５つの全ての操作キー９ａから９eの画像を表示器８に表示する。無線機のユーザがその画像を視認し、操作キー９ａから９eの何れかの操作キーを選択して、押下げ操作をすることによって、図１に示した操作キー入力処理が開始される。
【００３２】
まず、ユーザによって操作キー９ａが押下げ操作された時の動作を説明する。
操作キー９ａが通常動作モード時の押下げ操作（例えば、短押し操作）がなされると、制御部１０は、操作キー９ａの入力を受け付けると共に、表示器８に表示された操作キー９ａを表す画像を強調表示する。そして、図１に示すステップＳ１で操作キー９ａの押下げ操作が解除されたか否かを判断する。操作キー９ａの押下げ操作が解除されると、ステップＳ１は操作キー９ａの押下げが解除されたと判断し、ステップＳ７に移行して、ステップＳ７を実行して、操作キー９ａに割り付けられた通常動作モード時の機能が「キーロック」であることを判別し、ステップＳ８に移行して、ステップＳ８で「キーロック」に対応する処理を実行し、この操作キー９ａの入力処理を終了する。
【００３３】
一方、ステップＳ１で操作キー９ａの押下げ操作が継続されていると判断されると、ステップＳ２を実行して、操作キー９ａの押圧操作形態が異なる押圧操作形態であるか否か（操作キーの短押し操作か、あるいは操作キーの長押し操作か）を判断する。ステップＳ２が実行され、操作キー９ａの押圧操作形態が、異なる押圧操作形態で無いと判断するとステップＳ７を実行して、操作キー９ａに割り付けられた通常動作モード時の機能がキーロックであることを判別し、ステップＳ８に移行して、ステップＳ８で「キーロック」に対応する処理を実行し、この操作キー９ａの入力処理を終了する。
【００３４】
また、ステップＳ２を実行して、操作キー９ａの押圧操作形態が、異なる押圧操作形態であると判断（長押し操作であると判断）すると、ステップＳ３を実行して、記憶部１１に設けられた特殊動作モード時の各種機能情報１３を手段２０によってモード情報確認手段１８に呼び出し、この情報に含まれる図４の（ａ）に示した操作キー９ａに対応した特殊動作モード時の機能情報の存在を、モード情報確認手段１８によって調べる。
【００３５】
この場合、図４の（ａ）に示されるように、操作キー９ａの特殊動作モード時の機能情報は、「無し」と設定されているため、ステップＳ９に移行する。ステップＳ９を実行することによって、特殊動作モード時の「各種機能情報無し」の表示を行うか否かが判断され、ステップＳ９でこの表示を行わないと判断した場合は、ステップＳ７に移行して、ステップ７を実行して、操作キー９ａに割り付けられた通常動作モード時の機能が「キーロック」であることを判別し、ステップＳ８で「キーロック」に対応する処理を実行し、この操作キー９ａの入力処理を終了する。
【００３６】
また、ステップＳ９を実行することによって、特殊動作モード時の「各種機能情報無し」表示を行うか否かが判断され、ステップＳ９でこの表示を行うと判断した場合は、ステップＳ１０を実行して、特殊動作モード時の各種機能情報は、「無し」と表示器８に表示し、ユーザに特殊動作モード時の各種機能情報は存在しないことを告知して、操作キー入力処理を終了する。
【００３７】
次に、ユーザによって操作キー９ｂが押下げ操作された時の動作を説明する。操作キー９ｂが押下げ操作されると、制御部１０は、操作キー９ｂの入力を受け付けると共に、表示器８に表示された操作キー９ｂを表す画像を強調表示する。そして、図１に示すステップＳ１で操作キー９ｂの押下が解除されたか否かを判断する。操作キー９ｂの押下げが解除されると、ステップＳ１は操作キー９ｂの押下げが解除されたと判断し、ステップＳ７に移行して、ステップＳ７を実行して、操作キー９ｂに割り付けられた通常動作モード時の機能が「スタックモード」であることを判別し、ステップＳ８に移行して、ステップＳ８で「スタックモード」に対応する処理を実行し、この操作キー９ｂの入力処理を終了する。
【００３８】
また、ステップＳ１で操作キー９ｂの押下げ操作が継続されていると判断されると、ステップＳ２を実行して、操作キー９ｂの押圧操作形態が、異なる押圧操作形態であるか否かを判断する。このステップＳ２が実行され、操作キー９ｂの押圧操作形態が、異なる押圧操作形態で無いと判断するとステップＳ７を実行して、操作キー９ｂに割り付けられた通常動作モード時の機能が「スタックモード」であることを判別し、ステップＳ８に移行して、ステップＳ８で「スタックモード」に対応する処理を実行し、この操作キー９ｂの入力処理を終了する。
【００３９】
一方ステップＳ２を実行して、操作キー９ｂの押圧操作形態が、異なる押圧操作形態であると判断すると、ステップＳ３を実行して、記憶部１１に設けられた特殊動作モード時の各種機能情報１３を手段２０によってモード情報確認手段１８に呼び出し、この情報に含まれる図４の（ａ）に示した操作キー９ｂに対応した特殊動作モード時の機能情報の存在をモード情報確認手段１８によって調べる。図４の（ａ）に示されるように、操作キー９ｂの特殊動作モード時の機能情報は、「有」と設定されているため、ステップＳ４の実行に移る。
【００４０】
ステップＳ４が実行されると、操作キーに対応する記憶部１１に設けられた特殊動作モード時の各操作キーを表す画像情報１５が手段２０を介してモード切替手段１９に呼び出され、モード切替手段１９は、これまで表示器８に表示されていた通常動作時の各操作キーを表す画像情報を、図４の（ａ）の操作キー９ｂの段に記載された特殊動作モード時の各操作キーの機能情報に対応する各操作キーを表す表示画像に切り替え、表示器８に操作キー９ａ、９ｂ、９ｃを表す画像を表示させる。更に、モード切替手段１９は、この時、操作キー９ａ、９ｂ、９ｃにそれぞれ特殊動作モード「Ｅｘｉｔ」、「表示切替」、「削除」を割り付ける。操作キー９ｄおよび９ｅには特殊動作モードが割り付けられていないため、モード切替手段１９によって、これらの操作キーを表す表示画像は、表示されない。ステップＳ４の実行が終わるとステップＳ５に移行する。
【００４１】
ステップＳ５は、モード情報確認手段１８が特殊動作モード時の機能情報は、「有」と判断した時点からの時間が所定の時間を経過していないかを監視しており、所定の時間内であれば、この期間は、特殊動作モードが割り付けられた操作キー９ａ、９ｂ、９ｃを表す画像の表示を維持すると共に、操作キー９ａ、９ｂ、９ｃによる押下入力を受け付ける処理を実行する。そして、モード情報確認手段１８が特殊動作モード時の機能情報は、「有」と判断した時点からの時間が所定の時間を経過すると、手段１６が、特殊動作モードが割り付けられた操作キー９ａ、９ｂ、９ｃを表す前記画像の表示を消灯すると共に、手段２１が、操作キー９ａ、９ｂ、９ｃによる押下入力の受け付けを禁止する。ステップＳ５によって、操作キー９ａ、９ｂ、９ｃの画像の表示が消灯され、これら操作キーの押下入力が禁止されると、スピーカ２５からビープ音が発せられ、操作キー入力処理が終了する。
【００４２】
一方、上述の所定の時間中、操作キー９ａ、９ｂ、９ｃを表す画像の表示が維持され、操作キー９ａ、９ｂ、９ｃによる押下入力を受け付けられている間に、ユーザが、表示器８に表示された各操作キーを表す画像を視認して、操作キー９ａ、９ｂ、９ｃの何れかを押下すると、ステップＳ６に移行する。
【００４３】
例えば、ここでユーザによって操作キー９ａが押下げ操作されると、制御部１０は、表示器８に表示された操作キー９ａを表す画像を強調表示すると共に、ステップＳ６は、操作キー９ａに割り付けられた特殊動作モードである「Ｅｘｉｔ」を動作実行する。ユーザによって操作キー９ｂが押下されると、制御部１０は、表示器８に表示された操作キー９ｂを表す画像を強調表示すると共に、ステップＳ６は、操作キー９ｂに割り付けられた特殊動作モードである「表示切替」を動作実行する。また、ユーザによって操作キー９ｃが押下げ操作されると、制御部１０は、表示器８に表示された操作キー９ｃを表す画像を強調表示すると共に、ステップＳ６は、操作キー９ｃに割り付けられた特殊動作モードである「削除」を動作実行する。ステップＳ６の処理が終了すると操作キー入力処理は終了する。もしこの時、操作キー９ｄ、９ｅの何れかがユーザによって押下げ操作されると、これらの操作キーには、特殊動作モードが割り付けられていないことをユーザに告知するために、スピーカ２５から警告音が発せられる。
【００４４】
更に、ステップ５に於いて、モード情報確認手段１８が特殊動作モード時の機能情報は、「有」と判断した時点からの時間が所定の時間を経過していないか、即ち、経過時間を監視する際に、操作キー９ｂに対しては、時間設定記憶部１７に設定された、図４の（ｂ）に示した第１の所定の時間ｔ２を手段２１が参照して、上記経過時間との長短を比較し、その判定結果に基づいて操作キー９ｂの特殊動作モード時の各種機能情報に対応する各操作キー９ａ、９ｂ、９ｃ、による押下入力の受け付けを禁止するまでの時間を制御することもできるような構成になっている。
【００４５】
また、モード情報確認手段１８が特殊動作モード時の機能情報は、「有」と判断した時点からの時間が所定の時間を経過していないか、即ち、経過時間を監視する際に、操作キー９ｂに対しては、時間設定記憶部１７に設定された図４の（ｂ）に示す第２の所定の時間Ｔ２を手段１６が参照して、上記経過時間との長短を比較し、その判定結果に基づいて操作キー９ｂの特殊動作モード時の各種機能情報に対応する各操作キー９ａ、９ｂ、９ｃを表す画像の表示を消灯するまでの時間を制御することもできるような構成になっている。
【００４６】
なお、他の通常モード時の操作キー９ｃ、９ｄ、９ｅについても同様に前述の制御ができる構成になっている。このような構成を採用することによって、ユーザが特殊動作モードを認識する難易度に合わせ、操作キーを表す画像の表示を継続でき、かつ、操作したい操作キーを選択し押下げするまでの操作キー入力受付時間を継続することができるので、ユーザの使い勝手を向上させることができる。
【００４７】
次に、ユーザによって操作キー９ｃが押下げ操作された時の動作を説明する。操作キー９ｃが押下げ操作されると、制御部１０は、操作キー９ｃの入力を受け付けると共に、表示器８に表示された操作キー９ｃを表す画像を強調表示する。そして、図１に示すステップＳ１で操作キー９ｃの押下が解除されたか否かを判断する。操作キー９ｃの押下げが解除されると、ステップＳ１は操作キー９ｃの押下げが解除されたと判断し、ステップＳ７に移行して、ステップＳ７を実行して、操作キー９ｃに割り付けられた通常動作モード時の機能が「再生」であることを判別し、ステップＳ８に移行して、ステップＳ８で「再生」に対応する処理を実行し、この操作キー９ｃの入力処理を終了する。
【００４８】
また、ステップＳ１で操作キー９ｃの押下げ操作が継続されていると判断されると、ステップＳ２を実行して、操作キー９ｃの押圧操作形態が、異なる押圧操作形態であるか否かを判断する。ステップＳ２が実行され、操作キー９ｃの押圧操作形態が、異なる押圧操作形態で無いと判断するとステップＳ７を実行して、操作キー９ｃに割り付けられた通常動作モード時の機能が「再生」であることを判別し、ステップＳ８に移行して、ステップＳ８で「再生」に対応する処理を実行し、この操作キー９ｃの入力処理を終了する。
【００４９】
一方ステップＳ２を実行して、操作キー９ｃの押圧操作形態が、異なる押圧操作形態であると判断すると、ステップＳ３を実行して、記憶部１１に設けられた特殊動作モード時の各種機能情報１３を手段２０によってモード情報確認手段１８に呼び出し、この情報に含まれる図４の（ａ）に示す操作キー９ｃに対応した特殊動作モード時の機能情報の存在をモード情報確認手段１８によって調べる。図４の（ａ）に示されるように、操作キー９ｃの特殊動作モード時の機能情報は、「有」と設定されているため、ステップＳ４の実行に移る。
【００５０】
ステップＳ４が実行されると、操作キーに対応する記憶部１１に設けられた特殊動作モード時の各操作キーを表す画像情報１５が手段２０を介してモード切替手段１９に呼び出され、モード切替手段１９は、これまで表示器８に表示されていた通常動作時の各操作キーを表す画像情報を、図４の（ａ）の操作キー９ｃの段に記載された特殊動作モード時の各操作キーの機能情報に対応する各操作キーを表す表示画像に切り替え、表示器８に、操作キー９ａ、９ｂ、９ｃを表す画像を表示させる。更に、モード切替手段１９はこの時、操作キー９ａ、９ｂ、９ｃにそれぞれ特殊動作モード「Ｅｘｉｔ」、「Ｎｅｘｔ  ｃｈ」、「削除」を割り付ける。操作キー９ｄおよび９ｅには特殊動作モードが割り付けられていないため、モード切替手段１９によって、これらの操作キーを表す表示画像は、表示されない。ステップＳ４の実行が終わるとステップＳ５に移行する。
【００５１】
ステップＳ５は、モード情報確認手段１８が特殊動作モード時の機能情報は、「有」と判断した時点からの時間が所定の時間を経過していないかを監視しており、所定の時間内であれば、この期間は、特殊動作モードが割り付けられた操作キー９ａ、９ｂ、９ｃを表す画像の表示を維持すると共に、操作キー９ａ、９ｂ、９ｃによる押下入力を受け付ける処理を実行する。そして、モード情報確認手段１８が特殊動作モード時の機能情報は、「有」と判断した時点からの時間が所定の時間を経過すると、手段１６が、特殊動作モードが割り付けられた操作キー９ａ、９ｂ、９ｃを表す前記画像の表示を消灯すると共に、手段２１が、操作キー９ａ、９ｂ、９ｃによる押下入力の受け付けを禁止する。ステップＳ５によって、操作キー９ａ、９ｂ、９ｃの画像の表示が消灯され、これら操作キーの押下入力が禁止されると、スピーカ２５からビープ音が発せられ、操作キー入力処理が終了する。
【００５２】
一方、上述の所定の時間中、操作キー９ａ、９ｂ、９ｃを表す画像の表示が維持され、操作キー９ａ、９ｂ、９ｃによる押下入力を受け付けられている間に、ユーザが、表示器８に表示された各操作キー９ａ、９ｂ、９ｃを表す画像を視認して、操作キー９ａ、９ｂ、９ｃの何れかを押下げ操作すると、ステップＳ６に移行する。
【００５３】
例えば、ここでユーザによって操作キー９ａが押下げ操作されると、制御部１０は、表示器８に表示された操作キー９ａを表す画像を強調表示すると共に、ステップＳ６は、操作キー９ａに割り付けられた特殊動作モードである「Ｅｘｉｔ」を動作実行する。ユーザによって操作キー９ｂが押下されると、制御部１０は、表示器８に表示された操作キー９ｂを表す画像を強調表示すると共に、ステップＳ６は、操作キー９ｂに割り付けられた特殊動作モードである「Ｎｅｘｔ  ｃｈ」を動作実行する。
【００５４】
また、ユーザによって操作キー９ｃが押下げ操作されると、制御部１０は、表示器８に表示された操作キー９ｃを表す画像を強調表示すると共に、ステップＳ６は、操作キー９ｃに割り付けられた特殊動作モードである「削除」を動作実行する。ステップＳ６の処理が終了すると操作キー入力処理は終了する。もしこの時、操作キー９ｄ、９ｅの何れかがユーザによって押下げ操作されると、これらの操作キーには、特殊動作モードが割り付けられていないことをユーザに告知するために、スピーカ２５から警告音が発せられる。
【００５５】
更に、ステップ５に於いて、モード情報確認手段１８が特殊動作モード時の機能情報は、「有」と判断した時点からの時間が所定の時間を経過していないか、即ち経過時間、を監視する際に、操作キー９ｃに対しては、時間設定記憶部１７に設定された、図４の（ｂ）に示した第１の所定の時間ｔ３を手段２１が参照して、上記経過時間との長短を比較し、その判定結果に基づいて操作キー９ｃの特殊動作モード時の各種機能情報に対応する各操作キー９ａ、９ｂ、９ｃ、による押下入力の受け付けを禁止するまでの時間を制御することもできるような構成になっている。
【００５６】
また、モード情報確認手段１８が特殊動作モード時の機能情報は、「有」と判断した時点からの時間が所定の時間を経過していないか、即ち、経過時間を監視する際に、操作キー９ｂに対しては、時間設定記憶部１７に設定されている図４の（ｂ）に示した第２の所定の時間Ｔ３を手段１６が参照して、上記経過時間との長短を比較し、その判定結果に基づいて操作キー９ｃの特殊動作モード時の各種機能情報に対応する各操作キー９ａ、９ｂ、９ｃを表す画像の表示を消灯するまでの時間を制御することもできるような構成になっている。
【００５７】
次に、ユーザによって操作キー９ｄが押下げ操作された時の動作を説明する。操作キー９ｄが押下げ操作されると、制御部１０は、操作キー９ｄの入力を受け付けると共に、表示器８に表示された操作キー９ｄを表す画像を強調表示する。そして、図１に示すステップＳ１で操作キー９ｄの押下が解除されたか否かを判断する。操作キー９ｄの押下げが解除されると、ステップＳ１は操作キー９ｄの押下げが解除されたと判断し、ステップＳ７に移行して、ステップＳ７を実行して、操作キー９ｄに割り付けられた通常動作モード時の機能が「音声メモ」であることを判別し、ステップＳ８に移行して、ステップＳ８で「音声メモ」に対応する処理を実行し、この操作キー９ｄの入力処理を終了する。
【００５８】
また、ステップＳ１で操作キー９ｄの押下げ操作が継続されていると判断されると、ステップＳ２を実行して、操作キー９ｄの押圧操作形態が、異なる押圧操作形態であるか否かを判断する。ステップＳ２が実行され、操作キー９ｄの押圧操作形態が、異なる押圧操作形態で無いと判断するとステップＳ７を実行して、操作キー９ｄに割り付けられた通常動作モード時の機能が「音声メモ」であることを判別し、ステップＳ８に移行して、ステップＳ８で「音声メモ」に対応する処理を実行し、この操作キー９ｄの入力処理を終了する。
【００５９】
一方ステップＳ２を実行して、操作キー９ｄの押圧操作形態が、異なる押圧操作形態であると判断すると、ステップＳ３を実行して、記憶部１１に設けられた特殊動作モード時の各種機能情報１３を手段２０によってモード情報確認手段１８に呼び出し、この情報に含まれる図４の（ａ）に示した操作キー９ｄに対応した特殊動作モード時の機能情報の存在をモード情報確認手段１８によって調べる。図４の（ａ）に示されるように、操作キー９ｄの特殊動作モード時の機能情報は、「有」と設定されているため、ステップＳ４の実行に移る。
【００６０】
ステップＳ４が実行されると、操作キーに対応する記憶部１１に設けられた特殊動作モード時の各操作キーを表す画像情報１５が手段２０を介してモード切替手段１９に呼び出され、モード切替手段１９は、これまで表示器８に表示されていた通常動作時の各操作キーを表す画像情報を、図４の（ａ）の操作キー９ｄの段に記載された特殊動作モード時の各操作キーの機能情報に対応する各操作キーを表す表示画像に切り替え、表示器８に、操作キー９ａ、９ｂ、９ｄを表す画像を表示させる。更に、モード切替手段１９はこの時、操作キー９ａ、９ｂ、９ｄにそれぞれ特殊動作モード「Ｓｔｏｐ＋Ｅｘｉｔ」、「Ｓｔｏｐ＋一時保存」、「Ｓｔｏｐ＋保存」を割り付ける。操作キー９ｃおよび９ｅには特殊動作モードが割り付けられていないため、モード切替手段１９によって、これらの操作キー９ｃおよび９ｅを表す表示画像は、表示されない。ステップＳ４の実行が終わるとステップＳ５に移行する。
【００６１】
ステップＳ５は、モード情報確認手段１８が特殊動作モード時の機能情報は、「有」と判断した時点からの時間が所定の時間を経過していないかを監視しており、所定の時間内であれば、この期間は、特殊動作モードが割り付けられた操作キー９ａ、９ｂ、９ｄを表す画像の表示を維持すると共に、操作キー９ａ、９ｂ、９ｄによる押下入力を受け付ける処理を実行する。そして、モード情報確認手段１８が特殊動作モード時の機能情報は、「有」と判断した時点からの時間が所定の時間を経過すると、手段１６が、特殊動作モードが割り付けられた操作キー９ａ、９ｂ、９ｄを表す画像の表示を消灯すると共に、手段２１が操作キー９ａ、９ｂ、９ｄによる押下入力の受け付けを禁止する。ステップＳ５によって、操作キー９ａ、９ｂ、９ｄの画像の表示が消灯され、これら操作キーの押下入力が禁止されると、スピーカ２５からビープ音が発せられ、操作キー入力処理が終了する。
【００６２】
一方、上述の所定の時間中、操作キー９ａ、９ｂ、９ｄを表す画像の表示が維持され、操作キー９ａ、９ｂ、９ｄによる押下入力を受け付けられている間に、ユーザが、表示器８に表示された各操作キー９ａ、９ｂ、９ｄを表す画像を視認して、操作キー９ａ、９ｂ、９ｄの何れかを押下げ操作すると、ステップＳ６に移行する。
【００６３】
例えば、ここでユーザによって操作キー９ａが押下げ操作されると、制御部１０は、表示器８に表示された操作キー９ａを表す画像を強調表示すると共に、ステップＳ６は、操作キー９ａに割り付けられた特殊動作モードである「Ｓｔｏｐ＋Ｅｘｉｔ」を動作実行する。ユーザによって操作キー９ｂが押下げ操作されると、制御部１０は、表示器８に表示された操作キー９ｂを表す画像を強調表示すると共に、ステップＳ６は、操作キー９ｂに割り付けられた特殊動作モードである「Ｓｔｏｐ＋一時保存」を動作実行する。
【００６４】
また、ユーザによって操作キー９ｄが押下げ操作されると、制御部１０は、表示器８に表示された操作キー９ｃを表す画像を強調表示すると共に、ステップＳ６は、操作キー９ｄに割り付けられた特殊動作モードである「Ｓｔｏｐ＋保存」を動作実行する。ステップＳ６の処理が終了すると操作キー入力処理は終了する。もしこの時、操作キー９ｃ、９ｅの何れかがユーザによって押下げ操作されると、これらの操作キーには、特殊動作モードが割り付けられていないことをユーザに告知するために、スピーカ２５から警告音が発せられる。
【００６５】
更に、ステップ５に於いて、モード情報確認手段１８が特殊動作モード時の機能情報は「有」と判断した時点からの時間が所定の時間を経過していないか、即ち、経過時間を監視する際に、操作キー９ｄに対しては、時間設定記憶部１７に設定された、図４の（ｂ）に示した第１の所定の時間ｔ４を手段２１が参照して、上記経過時間との長短を比較し、その判定結果に基づいて操作キー９ｄの特殊動作モード時の各種機能情報に対応する各操作キー９ａ、９ｂ、９ｄ、による押下入力の受け付けを禁止するまでの時間を制御することもできるような構成になっている。
【００６６】
また、モード情報確認手段１８が特殊動作モード時の機能情報は、「有」と判断した時点からの時間が所定の時間を経過していないか、即ち、経過時間を監視する際に、操作キー９ｄに対しては、時間設定記憶部１７に設定された、図４の（ｂ）に示した第２の所定の時間Ｔ４を手段１６が参照して、上記経過時間との長短を比較し、その判定結果に基づいて操作キー９ｄの特殊動作モード時の各種機能情報に対応する各操作キー９ａ、９ｂ、９ｄを表す画像の表示を消灯するまでの時間を制御することもできるような構成になっている。
【００６７】
次に、ユーザによって操作キー９ｅが押下げ操作された時の動作を説明する。操作キー９ｅが押下げ操作されると、制御部１０は、操作キー９ｅの入力を受け付けると共に、表示器８に表示された操作キー９ｅを表す画像を強調表示する。そして、図１に示すステップＳ１で操作キー９ｅの押下げが解除されたか否かを判断する。操作キー９ｅの押下げが解除されると、ステップＳ１は操作キー９ｅの押下げが解除されたと判断し、ステップＳ７に移行して、ステップＳ７を実行して、操作キー９ｅに割り付けられた通常動作モード時の機能が「話者グループ識別」であることを判別し、ステップＳ８に移行して、ステップＳ８で「話者グループ識別」に対応する処理を実行し、この操作キー９ｅの入力処理を終了する。
【００６８】
また、ステップＳ１で操作キー９ｅの押下げ操作が継続されていると判断されると、ステップＳ２を実行して、操作キー９ｅの押圧操作形態が、異なる押圧操作形態であるか否かを判断する。ステップＳ２が実行され、操作キー９ｅの押圧操作形態が、異なる押圧操作形態で無いと判断するとステップＳ７を実行して、操作キー９ｅに割り付けられた通常動作モード時の機能が「話者グループ識別」であることを判別し、ステップＳ８に移行して、ステップＳ８で「話者グループ識別」に対応する処理を実行し、この操作キー９ｅの入力処理を終了する。
【００６９】
一方ステップＳ２を実行して、操作キー９ｅの押圧操作形態が、異なる押圧操作形態であると判断すると、ステップＳ３を実行して、記憶部１１に設けられた特殊動作モード時の各種機能情報１３を手段２０によってモード情報確認手段１８に呼び出し、この情報に含まれる図４の（ａ）に示した操作キー９ｅに対応した特殊動作モード時の機能情報の存在をモード情報確認手段１８によって調べる。図４の（ａ）に示されるように、操作キー９ｅの特殊動作モード時の機能情報は、「有」と設定されているため、ステップＳ４の実行に移る。
【００７０】
ステップＳ４が実行されると、操作キーに対応する記憶部１１に設けられた特殊動作モード時の各操作キーを表す画像情報１５が手段２０を介してモード切替手段１９に呼び出され、モード切替手段１９は、これまで表示器８に表示されていた通常動作時の各操作キーを表す画像情報を、図４の（ａ）の操作キー９ｅの段に記載された特殊動作モード時の各操作キーの機能情報に対応する各操作キーを表す表示画像に切り替え、表示器８に、操作キー９ａ、９ｂを表す画像を表示させる。更に、モード切替手段１９は、この時、操作キー９ａ、９ｂにそれぞれ特殊動作モード「Ｓｅｔ＋Ｅｘｉｔ」、「Ｅｘｉｔ」を割り付ける。操作キー９ｃ、９ｄおよび９ｅには特殊動作モードが割り付けられていないため、モード切替手段１９によって、これらの操作キーを表す表示画像は、表示されない。ステップＳ４の実行が終わるとステップＳ５に移行する。
【００７１】
ステップＳ５は、モード情報確認手段１８が特殊動作モード時の機能情報は、「有」と判断した時点からの時間が所定の時間を経過していないかを監視しており、所定の時間内であれば、この期間は、特殊動作モードが割り付けられた操作キー９ａ、９ｂを表す画像の表示を維持すると共に、操作キー９ａ、９ｂによる押下入力を受け付ける処理を実行する。そして、モード情報確認手段１８が特殊動作モード時の機能情報は、「有」と判断した時点からの時間が所定の時間を経過すると、手段１６が、特殊動作モードが割り付けられた操作キー９ａ、９ｂを表す画像の表示を消灯すると共に、手段２１が、操作キー９ａ、９ｂによる押下入力の受け付けを禁止する。ステップＳ５によって、操作キー９ａ、９ｂの画像の表示が消灯され、これら操作キーの押下入力が禁止されると、スピーカ２５からビープ音が発せられ、操作キー入力処理が終了する。
【００７２】
一方、上述の所定の時間中、操作キー９ａ、９ｂを表す画像の表示が維持され、操作キー９ａ、９ｂによる押下入力を受け付けられている間に、ユーザが、表示器８に表示された各操作キー９ａ、９ｂを表す画像を視認して、操作キー９ａ、９ｂの何れかを押下げ操作すると、ステップＳ６に移行する。
【００７３】
例えば、ここでユーザによって操作キー９ａが押下げ操作されると、制御部１０は、表示器８に表示された操作キー９ａを表す画像を強調表示すると共に、ステップＳ６は、操作キー９ａに割り付けられた特殊動作モードである「Ｓｅｔ＋Ｅｘｉｔ」を動作実行する。ユーザによって操作キー９ｂが押下げされると、制御部１０は、表示器８に表示された操作キー９ｂを表す画像を強調表示すると共に、ステップＳ６は、操作キー９ｂに割り付けられた特殊動作モードである「Ｅｘｉｔ」を動作実行する。ステップＳ６の処理が終了すると操作キー入力処理は終了する。もしこの時、操作キー９ｃ、９ｄ、９ｅの何れかがユーザによって押下げされると、これらの操作キーには、特殊動作モードが割り付けられていないことをユーザに告知するために、スピーカ２５から警告音が発せられる。
【００７４】
更に、ステップ５に於いて、モード情報確認手段１８が特殊動作モード時の機能情報は、「有」と判断した時点からの時間が所定の時間を経過していないか、即ち、経過時間を監視する際に、操作キー９ｅに対しては、時間設定記憶部１７に設定された、図４の（ｂ）に示した第１の所定の時間ｔ５を手段２１が参照して、上記経過時間との長短を比較し、その判定結果に基づいて操作キー９ｅの特殊動作モード時の各種機能情報に対応する各操作キー９ａ、９ｂによる押下入力の受け付けを禁止するまでの時間を制御することもできるような構成になっている。
【００７５】
また、モード情報確認手段１８が特殊動作モード時の機能情報は、「有」と判断した時点からの時間が所定の時間を経過していないか、即ち経過時間、を監視する際に、操作キー９ｅに対しては、時間設定記憶部１７に設定された、図４の（ｂ）に示した第２の所定の時間Ｔ５を手段１６が参照して、経過時間との長短を比較し、その判定結果に基づいて操作キー９ｅの特殊動作モード時の各種機能情報に対応する各操作キー９ａ、９ｂを表す画像の表示を消灯するまでの時間を制御することもできるような構成になっている。
【００７６】
以上のように本発明の表示器を有する装置によれば、多機能かつ多数の操作機能が実装された電子機器に於いて、多くの操作キーを必要とせず、少なくとも１つの表示器で実現でき、操作キーと表示器とを関連付けた配列を必要とせず制約が無いため、操作パネルの許容面積が限られている場合に於いても、少ない操作キーの数で多数の操作機能を択一的に選択することができ、実行する機能を表示することが可能な、小型で安価な装置を提供することができる。
【００７７】
なお、上述した実施の形態に於いては、本発明の表示器を有する装置を無線機へ実施した場合について説明したが、これに限定されるものではなく、本発明を車載用音響装置や車載用ナビゲーション装置等へ実施した場合に於いても、同様の作用および効果を得ることができる。また、通常動作モード時に、選択操作した操作キーを押し続けても、通常動作モードを動作実行することが可能なように構成することもできる。更に、通常動作モード時の各種機能情報は、ユーザが変更可能に構成することもできる。
【図面の簡単な説明】
【００７８】
【図１】本発明に係る表示器を有する装置を無線機に実施した場合の操作キー入力処理に関する遷移図である。
【図２】無線機の操作パネルの概要を示した外観図である。
【図３】無線機に実施した本発明に係る表示器を有する装置の機能構成図を示したものである。
【図４】本発明に係る表示器を有する装置を無線機に実施した場合の操作キーに割り付けられる通常動作モードに対応する各種機能情報と特殊動作モードに対応する各種機能情報との関係および通常動作モード時の各操作キーと各操作キーに対応して記憶された時間情報との関係を示す図である。
【符号の説明】
【００７９】
１    無線機の操作パネル
８    表示器
９ａ、９ｂ、９ｃ、９ｄ、９ｅ    操作キー
１０  制御部
２２  操作手段
【図１】
2007233552.tif 000003
【図２】
2007233552.tif 000004
【図３】
2007233552.tif 000005
【図４】
2007233552.tif 000006